(57)【要約】本発明は、パッド部の内側面にはポリウレタンフィルム（２０２）、外側面にはスパンデックス生地（２０３）を接着したシートを熱プレス成形して、顔面部に密着されるパッド部（２）と、パッド部と使い捨てフィルター部とが接着されるフィルター部固定体（３）と、顔面部の空間を形成して、汚染空気を濾過する半球状のフィルター部（４）と、一方向排気バルブ（８）とで構成された防塵マスク（１）に関するもので、パッド部には顔曲面と密着されることができるように曲率が形成され、パッド部（２）とフィルター部固定体（３）の内外側羽部分（２０１、３０２）（２０１´、３０２´）を互いに縫製または熱接着することによって、パッド部（２）にエアクッション（７）が形成されることを特徴とする。【選択図】図３
2013544592.tif 000002
【特許請求の範囲】
【請求項１】
パッド部（２）、フィルター部固定体（３）、使い捨てフィルター部（４）（４−１）及び排気バルブ（８）で構成された使い捨て防塵マスク（１）において、
パッド部（２）はポリウレタンフィルム（２０２）とスパンデックス生地（２０３）が接着されたシートを環状に熱プレス成形し、パッド部の内外側の両端にはパッド内側羽部分（２０１´）とパッド外側羽部分（２０１）を設置し、パッド部（２）の鼻筋部分（２０６）、鼻筋と頬骨間部分（２０７）、頬骨部分（２０８）、頬部分（２０９）、顎部分（２１０）に曲率が形成され、ポリウレタンまたはシリコーンまたはポリプロピレンまたはポリエチレン素材で成形されたフィルター部固定体（３）にはフィルター部固定体の外側羽部分（３０２）とフィルター部固定体の内側羽部分（３０２´）を設置し、上側にはリブ（３０１）を設置することを特徴とする防塵マスク（１）。
【請求項２】
パッド部（２）とフィルター部固定体（３）の内外側羽部分（２０１、３０２）（２０１´、３０２´）を互いに縫製または熱接着して、パッド部（２）にエアクッション（７）を有することを特徴とする請求項１に記載の防塵マスク（１）。
【請求項３】
パッド部（２）のパッド外側羽部分（２０１）と使い捨てフィルター部（４）のフィルター羽部分（４０１）を縫製または熱接着することを特徴とする請求項１に記載の防塵マスク（１）。
【請求項４】
パッド部（２）のパッド幅（２０４）において、鼻筋部分（２０６）と鼻筋と頬骨間部分（２０７）のパッド幅は５ｍｍ〜１２ｍｍ、頬骨部分（２０８）、頬部分（２０９）、顎部分（２１０）のパッド幅は８ｍｍ〜２５ｍｍであることを特徴とする請求項１に記載の防塵マスク（１）。
【請求項５】
パッド部（２）のパッド高さ（２０５）において、鼻筋部分（２０６）と顎部分（２１０）のパッド高さは２ｍｍ〜１０ｍｍ、鼻筋と頬骨間部分（２０７）、頬骨部分（２０８）、頬部分（２０９）のパッド高さは５ｍｍ〜２５ｍｍであり、パッド内側羽部分（２０１´）のパッド高さがパッド外側羽部分（２０１）のパッド高さより２ｍｍ〜１０ｍｍ高いことを特徴とする請求項１に記載の防塵マスク（１）。
【請求項６】
パッド部（２）の鼻筋部分の曲率半径（２０６−１）は７ｍｍ〜２０ｍｍであることを特徴とする請求項１に記載の防塵マスク（１）。
【請求項７】
パッド部（２）の鼻筋と頬骨間部分の曲率半径（２０７−１）は７ｍｍ〜２０ｍｍであることを特徴とする請求項１に記載の防塵マスク（１）。
【請求項８】
パッド部（２）の頬骨部分の曲率半径（２０８−１）は５０ｍｍ〜８０ｍｍであることを特徴とする請求項１に記載の防塵マスク（１）。
【請求項９】
パッド部（２）の頬部分の曲率半径（２０９−１）は２５ｍｍ〜４０ｍｍであることを特徴とする請求項１に記載の防塵マスク（１）。
【請求項１０】
パッド部（２）の顎部分の曲率半径（２１０−１）は３０ｍｍ〜６０ｍｍであることを特徴とする請求項１に記載の防塵マスク（１）。
【請求項１１】
ポリウレタンフィルムの厚さは０.３ｍｍ〜１ｍｍであることを特徴とする請求項１に記載の防塵マスク（１）。
【請求項１２】
防塵マスク（１−１）のフィルター部固定体（３）には複数の孔（３０３）を設置し、使い捨てフィルター部（４−１）には複数の突起（１０１）を設置することを特徴とする請求項１に記載の防塵マスク（１）。
【請求項１３】
排気バルブの下側（８０３）には排気チューブ固定リブ（８０３−１）を設置することを特徴とする請求項１に記載の防塵マスク（１）。
【発明の詳細な説明】
【技術分野】
【０００１】
一般的に、産業現場で用いる防塵マスクは、フィルター取替型と使い捨て防塵マスクとがある。
【０００２】
従来の使い捨て防塵マスクは、鼻と口をカバーするフィルター及び不織布を用いて半球状に成形され、マスクが使用者の鼻筋に密着されることができるように、鼻筋部位のフィルターの内側にはスポンジを付着し、フィルターの外側には鼻クリップを付着し、フィルター部の両側にはヘッドバンドが固定される。
【背景技術】
【０００３】
従来の使い捨て防塵マスクは、使用者の顔面部とマスクの密着性が低下して、フィルターを通じない汚染された空気を吸うことがあり、寒い日には息によってメガネ、ゴーグルが曇ってしまって、使用者に不便さを与え、フィルター部の製造過程で、フィルターと不織布を超音波または熱融着した接着部位が顔面部に接触されることで、使用者が不快感を感じる問題点がある。
【０００４】
本発明は、環状のパッド部２、フィルター部固定体３、使い捨てフィルター部４及び排気バルブ８で構成された防塵マスク１に関するもので、パッド部の内側面にはポリウレタンフィルム２０２、外側面にはスパンデックス生地２０３を接着したシートを熱プレス成形して顔面部に密着されるパッド部２と、パッド部と使い捨てフィルター部とが接着されるフィルター部固定体３と、顔面部空間を形成し、汚染空気を濾過する半球状の使い捨てフィルター部４と、一方向排気バルブ８とで構成されることを特徴とす防塵マスクである。
【０００５】
また、顔曲面と密着されるパッド部２の鼻筋部分２０６、鼻筋と頬骨間部分２０７、頬骨部分２０８、頬部分２０９、顎部分２１０には各部分の顔曲面と密着されることができるように曲率が形成されていることを特徴とする。
【０００６】
鼻と口の周りの曲面に合わせて所定の曲率を有するパッド部を成形することによって、マスクパッド部と顔面部との密着力が良くて、外部の汚染された空気からフィルターを通じて濾過された空気のみ吸い込むことができ、寒い日に息によってゴーグル及びメガネが曇ることを防止して、使用者に便宜性を与え、スパンデックス生地が肌に接触することによって、着心地が良く、従って、使用者の防塵マスクの着用率を向上させることができることを特徴とする防塵マスクである。
【発明の概要】
【発明が解決しようとする課題】
【０００７】
従来の使い捨て防塵マスクは、使用者の顔面部とマスクとの密着性が低下して、フィルターを通じない汚染された空気を吸うことがあり、寒い日には息によってメガネ、ゴーグルが曇って、使用者に不便さを与え、フィルター部の製造過程で、フィルターと不織布を超音波または熱融着した接着部位が顔面部に接触されることによって、使用者が不快感を感じる問題点がある。
【課題を解決するための手段】
【０００８】
本発明は環状のパッド部２、フィルター部固定体３、使い捨てフィルター部４及び排気バルブ８で構成された防塵マスク１に関するもので、パッド部の内側面にはポリウレタンフィルム２０２、外側面にはスパンデックス生地２０３を接着したシートを熱プレス成形して、顔面部に密着させるパッド部２と、パッド部と使い捨てフィルター部が接着されるフィルター部固定体３と、顔面部の空間を形成して汚染空気を濾過する半球状の使い捨てフィルター部４と、一方向排気バルブ８とで構成されることを特徴とする防塵マスクである。
【０００９】
また、顔曲面と密着されるパッド部２の鼻筋部分２０６、鼻筋と頬骨間部分２０７、頬骨部分２０８、頬部分２０９、顎部分２１０には各部分の顔曲面と密着されることができるように曲率形成されていることを特徴とする。
【００１０】
鼻と口の周りの顔曲面に合わせて所定の曲率を有するパッド部を成形することによって、マスクパッド部と顔面部密着力が良くて、外部の汚染された空気からフィルターを通じて濾過された空気のみを吸うことができ、寒い日に息によってゴーグル及びメガネが曇ることを防止して、使用者に便宜性を与え、スパンデックス生地が肌に接触することによって、着心地が良くて、使用者の防塵マスクの着用率を向上させることができることを特徴とする防塵マスクである。
【発明の効果】
【００１１】
鼻と口の周りの顔曲面に合わせて所定の曲率を有するパッド部を成形することによって、防塵マスクの製造工程でも、防塵マスクの鼻筋部位にスポンジと鼻クリップを付着しなくても良く、マスクパッド部と顔面部との密着力が良くて、外部の汚染された空気からフィルターを通じて濾過された空気のみを吸うことができ、寒い日に息によってゴーグル及びメガネが曇ることを防止して、使用者に便宜性を与え、スパンデックス生地が肌に接触することによって、着心地が良くて、使用者の防塵マスクの着用率を向上させることができる。
【図面の簡単な説明】
【００１２】
【図１】従来の使い捨て防塵マスクの斜視図である。
【図２】本発明の防塵マスク１の斜視図である。
【図３】本発明の防塵マスク１の使用状態を示す断面図である。
【図４】本発明のパッド部２の背面斜視図である。
【図５】本発明のパッド部２の図４のＡ−Ａ´の断面図である。
【図６】本発明のパッド部２において所定の曲率が形成された斜視図である。
【図７】本発明のフィルター部固定体３の斜視図である。
【図８】本発明のパッド部２とフィルター部固定体３が接着された状態の断面図である。
【図９】本発明のパッド部２と使い捨てフィルター部４を接着した断面図である。
【図１０】本発明の防塵マスク１の部品展開図である。
【図１１】本発明の防塵マスク１−１の実施例を示す斜視図である。
【図１２】本発明の防塵マスク１−１の部品展開図である。
【図１３】本発明の防塵マスク用排気バルブ８の部品展開図である。
【発明を実施するための形態】
【００１３】
以下、本発明を添付された図面を通じてさらに詳しく説明する。
【００１４】
図１は従来の使い捨て防塵マスクの斜視図である。
【００１５】
従来の使い捨て防塵マスクは鼻と口をカバーするフィルター及び不織布を用いて半球状に成形され、マスクが使用者の鼻筋に密着されることができるように、鼻筋部位のフィルターの内側にはスポンジを付着し、フィルターの外側には鼻クリップを付着し、フィルター部の両側にはヘッドバンドが固定される。
【００１６】
図２は本発明の防塵マスク１の斜視図である。
【００１７】
図３は本発明の防塵マスク１の使用状態を示す断面図である。
【００１８】
本発明は環状のパッド部２、フィルター部固定体３、使い捨てフィルター部４及び排気バルブ８で構成された防塵マスク１に関するもので、パッド部の内側面にはポリウレタンフィルム２０２、外側面にはスパンデックス生地２０３を接着したシートを鼻と口の周りの顔曲面に合わせて熱プレス成形して、顔面部に密着させるパッド部２と、パッド部と使い捨てフィルター部が接着されるフィルター部固定体３と、顔面部の空間を形成して、汚染空気を濾過する半球状の使い捨てフィルター部４と、一方向排気バルブ８とで構成される。使い捨てフィルター部４とフィルター部固定体３との接着のために、フィルター部固定体３の上側にはベルクロ６または両面テープを設置することができることを特徴とする。
【００１９】
図４は本発明のパッド部２の背面斜視図である。
【００２０】
パッド部２において、フィルター部固定体３と接着される内側面にはポリウレタンフィルム２０２、顔面と接触する外側面にはスパンデックス生地２０３が接着されたシートを鼻と口の周りの顔曲面に合わせて環状に熱プレス成形し、環状のパッド部の内側と外側両端にはフィルター部固定体３と接着することができるようにパッド内側羽部分２０１｀とパッド外側羽部分２０１を設置して、パッド外側羽部分２０１の両側面にはヘッドバンド掛け孔５０３を設置することを特徴とし、スパンデックス生地と接着されるポリウレタンフィルムの厚さは０.３ｍｍ〜１ｍｍであることを特徴とする。
【００２１】
図５は本発明のパッド部２の図４のＡ−Ａ´の断面図である。
【００２２】
パッド部２のパッド幅２０４（図示せず）において、鼻筋部分２０６と鼻筋と頬骨間部分２０７のパッド幅は５ｍｍ〜１２ｍｍ、頬骨部分２０８、頬部分２０９、顎部分２１０のパッド幅は８ｍｍ〜２５ｍｍであることを特徴とする。
【００２３】
パッド部２のパッド高さ２０５（図示せず）において、鼻筋部分２０６と顎部分２１０のパッド高さは２ｍｍ〜１０ｍｍ、鼻筋と頬骨間部分２０７、頬骨部分２０８、頬部分２０９のパッド高さは５ｍｍ〜２５ｍｍであることを特徴とし、パッド内側羽部分２０１´が鼻筋部分に干渉を受けないように、パッド内側羽部分２０１´のパッド高さがパッド外側羽部分２０１パッド高さより２ｍｍ〜１０ｍｍ高いことを特徴とする。
【００２４】
図６は本発明のパッド部２において所定の曲率が形成された斜視図である。
【００２５】
パッド部２の鼻筋部分２０６、鼻筋と頬骨間部分２０７、頬骨部分２０８、頬部分２０９、顎部分２１０には各部分の顔曲面と密着されることができるように所定の曲率が形成されており、鼻筋部分の曲率半径２０６−１は７ｍｍ〜２０ｍｍ、鼻筋と頬骨間部分の曲率半径２０７−１は７ｍｍ〜２０ｍｍ、頬骨部分の曲率半径２０８−１は５０〜８０ｍｍ、頬部分の曲率半径２０９−１は２５ｍｍ〜４０ｍｍ、顎部分の曲率半径２１０−１は３０〜６０ｍｍであることを特徴とする。
【００２６】
図７は本発明のフィルター部固定体３の斜視図である。
【００２７】
ポリウレタンまたはシリコーンまたはポリプロピレンまたはポリエチレン素材で成形されたフィルター部固定体３の上側にはリブ３０１を設置して、使い捨てフィルター部羽部分４０１が接着され、フィルター部固定体３の内側と外側にはパッド部の内外側羽部分２０１´、２０１と接着されるフィルター部固定体の外側羽部分３０２及びフィルター部固定体内側羽部分３０２´を設置して、フィルター部固定体の外側羽部分３０２の両側面にはヘッドバンド掛け孔５０３´を設置する。
【００２８】
図８は本発明のパッド部２とフィルター部固定体３が接着された状態の断面図である。
【００２９】
パッド部２とフィルター部固定体３の内外側羽部分２０１、３０１、２０１´、３０２´を互いに縫製または熱接着することによって、パッド部２にエアクッション７が形成されて、使用者の顔面部と防塵マスクとの密着力及び着心地を高めることを特徴とし、エアクッション７が形成されるパッド部２の空間にはＰＶＣスポンジ、ウレタン発泡スポンジなどの緩衝素材を充填することができる。
【００３０】
図９は本発明のパッド部２と使い捨てフィルター部４を接着した断面図である。
【００３１】
フィルター部固定体３を用いないで、パッド部２のパッド外側羽部分２０１と使い捨てフィルター部４のフィルター羽部分４０１を縫製または熱接着することを特徴とする。
【００３２】
図１０は本発明の防塵マスク１の部品展開図である。
【００３３】
図１１は本発明の防塵マスク１−１の実施例を示す斜視図である。
【００３４】
図１２は本発明の防塵マスク１−１の部品展開図である。
【００３５】
本発明の他の実施例を示す防塵マスク１−１のフィルター部固定体３には、フィルターをインサート射出成形した使い捨てフィルター部４−１を固定することができるように複数の孔３０３を設置し、使い捨てフィルター部４−１にはフィルター部固定体３の孔３０３に挿入される使い捨てフィルター部４−１の突起１０１を設置することを特徴とする。
【００３６】
図１３は本発明の防塵マスク用排気バルブ８の部品展開図である。
【００３７】
一方向排気バルブ下側８０３には息を排気バルブを通じて容易に排出することができる排気チューブを設置することができるように、排気チューブ固定リブ８０３−１を設置することを特徴とする。
【００３８】
従来の使い捨て防塵マスクは、使用者の顔面部とマスクの密着性が低下して、フィルターを通じない汚染された空気を吸うことがあり、寒い日には息によってメガネ、ゴーグルが曇って使用者に不便を与え、フィルター部の製造過程で、フィルターと不織布を超音波または熱融着した接着部位が顔面部に接触されることによって、使用者が不快感を感じる問題点がある。本発明は、環状のパッド部２、フィルター部固定体３、使い捨てフィルター部４、排気バルブ８で構成された防塵マスク１に関するもので、パッド部の内側面にはポリウレタンフィルム２０２、外側面にはスパンデックス生地２０３を接着したシートを熱プレス成形して顔面部に密着されるパッド部２と、パッド部と使い捨てフィルター部が接着されるフィルター部固定体３と、顔面部の空間を形成して汚染空気を濾過する半球状の使い捨てフィルター部４と、一方向排気バルブ８とで構成されることを特徴とする防塵マスクである。
【００３９】
また、顔曲面と密着されるパッド部２の鼻筋部分２０６、鼻筋と頬骨間部分２０７、頬骨部分２０８、頬部分２０９、顎部分２１０には各部分の顔曲面と密着されるように曲率が形成されていることを特徴とする。
【００４０】
鼻と口の周りの顔曲面に合わせて所定の曲率を有するパッド部を成形することによってマスクパッド部と顔面部との密着力が良くて、外部の汚染された空気からフィルターを通じて濾過された空気のみを吸うことができ、寒い日に息によってゴーグル及びメガネが曇ることを防止して、使用者に便宜性を与え、スパンデックス生地が肌に接触することによって着心地が良くて、使用者の防塵マスクの着用率を向上させることができることを特徴とする防塵マスクである。
【産業上の利用可能性】
【００４１】
鼻と口の周りの顔曲面に合わせて所定の曲率を有するパッド部を成形することによって防塵マスクの製造工程でも、防塵マスクの鼻筋部位にスポンジと鼻クリップを付着しなくても良く、マスクパッド部と顔面部との密着力が良くて、外部から汚染された空気からフィルターを通じて濾過された空気のみを吸うことができ、寒い日に息によってゴーグル及びメガネが曇ることを防止して、使用者に便宜性を与え、スパンデックス生地が肌に接触することによって、着心地が良くて、使用者の防塵マスクの着用率を向上させることができる。
【符号の説明】
【００４２】
１  防塵マスク
２  パッド部
３  フィルター部固定体
４  使い捨てフィルター部
４−１  フィルターをインサート射出成形した使い捨てフィルター部
６  ベルクロ
７  エアクッション
８  排気バルブ
１０１  使い捨てフィルター部４−１の突起
２０１  パッド外側羽部分
２０１´  パッド内側羽部分
２０２  ポリウレタンフィルム
２０３  スパンデックス生地
２０４  パッド幅
２０５  パッド高さ
２０６  鼻筋部分
２０６−１  鼻筋部分の曲率半径
２０７  鼻筋と頬骨間部分
２０７−１  鼻筋と頬骨間部分の曲率半径
２０８  頬骨部分
２０８−１  頬骨部分の曲率半径
２０９  頬部分
２０９−１  頬部分の曲率半径
２１０  顎部分
２１０−１  顎部分の曲率半径
３０１  リブ
３０２  フィルター部固定体の外側羽部分
３０２´  フィルター部固定体の内側羽部分
３０３  フィルター部固定体孔
４０１  フィルター羽部分
５０３、５０３´  ヘッドバンド掛け孔
８０１  排気バルブ上側
８０２  バルブ
８０３  排気バルブ下側
８０３−１  排気チューブ固定リブ
８０４  排気チューブ
【図１】
2013544592.tif 000003
【図２】
2013544592.tif 000004
【図３】
2013544592.tif 000005
【図４】
2013544592.tif 000006
【図５】
2013544592.tif 000007
【図６】
2013544592.tif 000008
【図７】
2013544592.tif 000009
【図８】
2013544592.tif 000010
【図９】
2013544592.tif 000011
【図１０】
2013544592.tif 000012
【図１１】
2013544592.tif 000013
【図１２】
2013544592.tif 000014
【図１３】
2013544592.tif 000015
【国際調査報告】
2013544592.tif 000016
2013544592.tif 000017
2013544592.tif 000018
2013544592.tif 000019